【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
セルにおいて、端末と通信する基地局であって、
コネクト状態またはアイドル状態の端末によってモニタリングされる第１の制御チャネルとは異なる制御チャネルであり、コネクト状態の端末のみによってモニタリングされる第２の制御チャネルで、前記端末に対する制御情報を送信する送信部を備え、
前記コネクト状態は、前記端末がネットワークの情報を保持している状態であり、前記アイドル状態は、前記端末がネットワークの情報を保持していない状態である、基地局。
【請求項２】
前記第１の制御チャネルの送信に用いられる第１のアンテナポートは、前記セルに固有の参照信号であるセル固有参照信号に用いられるアンテナポートであり、
前記第２の制御チャネルの送信に用いられる第２のアンテナポートは、前記第２の制御チャネルに関連付けられる復調参照信号に用いられるアンテナポートである、請求項１に記載の基地局。
【請求項３】
前記第１の制御チャネルは第１の制御チャネル領域に配置され、
前記第２の制御チャネルは前記第１の制御チャネル領域とは独立に設定される第２の制御チャネル領域に配置される、請求項１に記載の基地局。
【請求項４】
前記端末が前記第２の制御チャネルをモニタリングするサブフレームを、前記端末に設定する、請求項１に記載の基地局。
【請求項５】
前記第２の制御チャネルのモニタリングは、前記セル毎に個別に設定される、請求項１に記載の基地局。
【請求項６】
セルにおいて、端末と通信する基地局であって、
前記端末に対する制御情報を、コネクト状態またはアイドル状態の端末によってモニタリングされる第１の制御チャネル、または、コネクト状態の端末のみによってモニタリングされる第２の制御チャネルで送信する送信部を備え、
前記第２の制御チャネルのモニタリングが前記端末に設定されない場合、前記端末に対する制御情報は前記第１の制御チャネルで送信され、
前記第２の制御チャネルのモニタリングが前記端末に設定される場合、前記端末に対する制御情報は前記第１の制御チャネルまたは前記第２の制御チャネルで送信され、
前記コネクト状態は、前記端末がネットワークの情報を保持している状態であり、前記アイドル状態は、前記端末がネットワークの情報を保持していない状態である、基地局。
【請求項７】
セルにおいて、端末と通信する基地局であって、
前記端末に対する制御情報を、コネクト状態またはアイドル状態の端末によってモニタリングされる第１の制御チャネル、または、コネクト状態の端末のみによってモニタリングされる第２の制御チャネルで送信する送信部を備え、
前記第２の制御チャネルのモニタリングが前記端末に設定されない場合、前記端末に対する制御情報は前記第１の制御チャネルで送信され、
前記第２の制御チャネルのモニタリングが前記端末に設定される場合、前記端末に対する制御情報は前記第２の制御チャネルで送信され、
前記コネクト状態は、前記端末がネットワークの情報を保持している状態であり、前記アイドル状態は、前記端末がネットワークの情報を保持していない状態である、基地局。
【請求項８】
セルにおいて、基地局と通信する端末であって、
コネクト状態またはアイドル状態の端末によってモニタリングされる第１の制御チャネルとは異なる制御チャネルであり、コネクト状態の端末のみによってモニタリングされる第２の制御チャネルをモニタリングし、前記第２の制御チャネルで送信される前記端末に対する制御情報を受信し、
前記コネクト状態は、前記端末がネットワークの情報を保持している状態であり、前記アイドル状態は、前記端末がネットワークの情報を保持していない状態である、端末。
【請求項９】
前記第１の制御チャネルの送信に用いられる第１のアンテナポートは、前記セルに固有の参照信号であるセル固有参照信号に用いられるアンテナポートであり、
前記第２の制御チャネルの送信に用いられる第２のアンテナポートは、前記第２の制御チャネルに関連付けられる復調参照信号に用いられるアンテナポートである、請求項８に記載の端末。
【請求項１０】
前記第１の制御チャネルは第１の制御チャネル領域に配置され、
前記第２の制御チャネルは前記第１の制御チャネル領域とは独立に設定される第２の制御チャネル領域に配置される、請求項８に記載の端末。
【請求項１１】
前記端末が前記第２の制御チャネルをモニタリングするサブフレームが、設定される、請求項８に記載の端末。
【請求項１２】
前記第２の制御チャネルのモニタリングは、前記セル毎に個別に設定される、請求項８に記載の端末。
【請求項１３】
セルにおいて、基地局と通信する端末であって、
コネクト状態またはアイドル状態の端末によってモニタリングされる第１の制御チャネル、または、コネクト状態の端末のみによってモニタリングされる第２の制御チャネルで送信される、前記端末に対する制御情報を受信する受信部を備え、
前記第２の制御チャネルのモニタリングが前記端末に設定されない場合、前記第１の制御チャネルの候補をモニタリングし、前記端末に対する制御情報を受信し、
前記第２の制御チャネルのモニタリングが前記端末に設定される場合、前記第１の制御チャネルの候補および前記第２の制御チャネルの候補をモニタリングし、前記端末に対する制御情報を受信し、
前記コネクト状態は、前記端末がネットワークの情報を保持している状態であり、前記アイドル状態は、前記端末がネットワークの情報を保持していない状態である、端末。
【請求項１４】
セルにおいて、基地局と通信する端末であって、
コネクト状態またはアイドル状態の端末によってモニタリングされる第１の制御チャネル、または、コネクト状態の端末のみによってモニタリングされる第２の制御チャネルで送信される、前記端末に対する制御情報を受信する受信部を備え、
前記第２の制御チャネルのモニタリングが前記端末に設定されない場合、前記第１の制御チャネルの候補をモニタリングし、前記端末に対する制御情報を受信し、
前記第２の制御チャネルのモニタリングが前記端末に設定される場合、前記第２の制御チャネルの候補をモニタリングし、前記端末に対する制御情報を受信し、
前記コネクト状態は、前記端末がネットワークの情報を保持している状態であり、前記アイドル状態は、前記端末がネットワークの情報を保持していない状態である、端末。
【請求項１５】
セルにおいて、端末と通信する基地局で用いられる無線通信方法であって、
コネクト状態またはアイドル状態の端末によってモニタリングされる第１の制御チャネルとは異なる制御チャネルであり、コネクト状態の端末のみによってモニタリングされる第２の制御チャネルで、前記端末に対する制御情報を送信し、
前記コネクト状態は、前記端末がネットワークの情報を保持している状態であり、前記アイドル状態は、前記端末がネットワークの情報を保持していない状態である、無線通信方法。
【請求項１６】
セルにおいて、基地局と通信する端末で用いられる無線通信方法であって、
コネクト状態またはアイドル状態の端末によってモニタリングされる第１の制御チャネルとは異なる制御チャネルであり、コネクト状態の端末のみによってモニタリングされる第２の制御チャネルをモニタリングし、前記第２の制御チャネルで送信される前記端末に対する制御情報を受信し、
前記コネクト状態は、前記端末がネットワークの情報を保持している状態であり、前記アイドル状態は、前記端末がネットワークの情報を保持していない状態である、無線通信方法。